【手続補正書】
【提出日】平成18年3月28日(2006.3.28)
【手続補正１】
【補正対象書類名】明細書
【補正対象項目名】特許請求の範囲
【補正方法】変更
【補正の内容】
【特許請求の範囲】
【請求項１】  駆動信号に応じてドットを形成可能なヘッドを印刷媒体の一方向に相対的に往復動する主走査を行いながら、印刷データに応じて各画素ごとにドットを形成することで該印刷媒体上に画像を印刷する印刷装置であって、
１つの画素に対応した駆動波形群であって、それぞれが１つのドットに対応した複数の駆動波形を含む第１の駆動波形群を出力する第１駆動波形群出力部と、
１つの画素に対応した駆動波形群であって、それぞれが１つのドットに対応した複数の駆動波形を含む第２の駆動波形群を出力する第２駆動波形群出力部と、
前記ヘッドが、主走査を行いつつ、前記第１の駆動波形群および前記第２の駆動波形群に含まれる複数の駆動波形の内、前記印刷データに応じて選択された駆動波形を用いてドットを形成するドット形成処理を行うように、前記ヘッドを駆動するヘッド駆動手段と、を備え、
前記ヘッド駆動手段は、各画素に対して、前記第１の駆動波形群を用いた前記ドット形成処理と前記第２の駆動波形群を用いた前記ドット形成処理とが実行されるように、前記ヘッドを駆動する、印刷装置。
【請求項２】  請求項１記載の印刷装置であって、
前記第２の駆動波形群は、前記第１の駆動波形群を用いた前記ドット形成処理により実現可能な画素の複数の濃度評価値間の差分を補間することとなる前記ドット形成処理が可能なように、設定されている、印刷装置。
【請求項３】  請求項１記載の印刷装置であって、
前記第１の駆動波形群は、前記ドット形成処理により実現可能な画素の複数の濃度評価値同士の差分が一定となるように設定されており、
前記第２の駆動波形群は、少なくとも前記差分を等間隔に補間することとなる前記ドット形成処理が可能なように、設定されている、印刷装置。
【請求項４】  請求項１記載の印刷装置であって、
前記第１の駆動波形群を用いた前記ドット形成処理により実現可能な画素の複数の濃度評価値の少なくとも１つと、前記第２の駆動波形群を用いた前記ドット形成処理により実現可能な画素の複数の濃度評価値の少なくとも１つと、が共通する、印刷装置。
【請求項５】  請求項４記載の印刷装置であって、
さらに、前記印刷媒体を前記主走査の方向に交差する方向に前記ヘッドに対して相対的に移動する副走査を行う副走査手段を備え、
前記共通する濃度評価値を実現する画素に形成されたドットは、前記副走査方向における前記画素の間隔と略同一の径のドットである印刷装置。
【請求項６】  駆動信号に応じてドットを形成可能なヘッドを印刷媒体の一方向に相対的に往復動する主走査を行いながら、印刷データに応じて各画素ごとにドットを形成することで該印刷媒体上に画像を印刷する印刷方法であって、
（ａ）１つの画素に対応した駆動波形群であって、それぞれが１つのドットに対応した複数の駆動波形を含む第１の駆動波形群を出力する工程と、
（ｂ）１つの画素に対応した駆動波形群であって、それぞれが１つのドットに対応した複数の駆動波形を含む第２の駆動波形群を出力する工程と、
（ｃ）前記ヘッドが、主走査を行いつつ、前記第１の駆動波形群および前記第２の駆動波形群に含まれる複数の駆動波形の内、前記印刷データに応じて選択された駆動波形を用いてドットを形成するドット形成処理を行うように、前記ヘッドを駆動する工程と、を備え、
前記工程（ｃ）は、各画素に対して、前記第１の駆動波形群を用いた前記ドット形成処理と前記第２の駆動波形群を用いた前記ドット形成処理とが実行されるように、前記ヘッドを駆動する工程である、印刷方法。
【請求項７】  駆動信号に応じてドットを形成可能なヘッドを印刷媒体の一方向に相対的に往復動する主走査を行いながら、印刷データに応じて各画素ごとにドットを形成することにより、該印刷媒体上に画像を印刷する印刷装置を駆動するプログラムをコンピュータ読みとり可能に記録した記録媒体であって、
前記プログラムは、
１つの画素に対応した駆動波形群であって、それぞれが１つのドットに対応した複数の駆動波形を含む第１の駆動波形群を出力する機能と、
１つの画素に対応した駆動波形群であって、それぞれが１つのドットに対応した複数の駆動波形を含む第２の駆動波形群を出力する機能と、
前記ヘッドが、主走査を行いつつ、前記第１の駆動波形群および前記第２の駆動波形群に含まれる複数の駆動波形の内、前記印刷データに応じて選択された駆動波形を用いてドットを形成するドット形成処理を行うように、前記ヘッドを駆動するヘッド駆動機能と、を、前記印刷装置に実現させ、
前記ヘッド駆動機能は、各画素に対して、前記第１の駆動波形群を用いた前記ドット形成処理と前記第２の駆動波形群を用いた前記ドット形成処理とが実行されるように、前記ヘッドを駆動する機能である、記録媒体。
【手続補正２】
【補正対象書類名】明細書
【補正対象項目名】０００８
【補正方法】変更
【補正の内容】
【０００８】
【課題を解決するための手段およびその作用・効果】
上述の課題を解決するため、本発明は、次の構成を採用した。本発明の印刷装置は、駆動信号に応じてドットを形成可能なヘッドを印刷媒体の一方向に相対的に往復動する主走査を行いながら、印刷データに応じて各画素ごとにドットを形成することで該印刷媒体上に画像を印刷する印刷装置であって、１つの画素に対応した駆動波形群であって、それぞれが１つのドットに対応した複数の駆動波形を含む第１の駆動波形群を出力する第１駆動波形群出力部と、１つの画素に対応した駆動波形群であって、それぞれが１つのドットに対応した複数の駆動波形を含む第２の駆動波形群を出力する第２駆動波形群出力部と、前記ヘッドが、主走査を行いつつ、前記第１の駆動波形群および前記第２の駆動波形群に含まれる複数の駆動波形の内、前記印刷データに応じて選択された駆動波形を用いてドットを形成するドット形成処理を行うように、前記ヘッドを駆動するヘッド駆動手段と、を備え、前記ヘッド駆動手段は、各画素に対して、前記第１の駆動波形群を用いた前記ドット形成処理と前記第２の駆動波形群を用いた前記ドット形成処理とが実行されるように、前記ヘッドを駆動することを要旨とする。
【手続補正３】
【補正対象書類名】明細書
【補正対象項目名】００３０
【補正方法】変更
【補正の内容】
【００３０】
本発明は、以下に示す通り、印刷方法の発明として構成することもできる。即ち、本発明の印刷方法は、駆動信号に応じてドットを形成可能なヘッドを印刷媒体の一方向に相対的に往復動する主走査を行いながら、印刷データに応じて各画素ごとにドットを形成することで該印刷媒体上に画像を印刷する印刷方法であって、（ａ）１つの画素に対応した駆動波形群であって、それぞれが１つのドットに対応した複数の駆動波形を含む第１の駆動波形群を出力する工程と、（ｂ）１つの画素に対応した駆動波形群であって、それぞれが１つのドットに対応した複数の駆動波形を含む第２の駆動波形群を出力する工程と、（ｃ）前記ヘッドが、主走査を行いつつ、前記第１の駆動波形群および前記第２の駆動波形群に含まれる複数の駆動波形の内、前記印刷データに応じて選択された駆動波形を用いてドットを形成するドット形成処理を行うように、前記ヘッドを駆動する工程と、を備え、前記工程（ｃ）は、各画素に対して、前記第１の駆動波形群を用いた前記ドット形成処理と前記第２の駆動波形群を用いた前記ドット形成処理とが実行されるように、前記ヘッドを駆動する工程である印刷方法である。
【手続補正４】
【補正対象書類名】明細書
【補正対象項目名】００３２
【補正方法】変更
【補正の内容】
【００３２】
本発明は、以下に示すプログラムを記録した記録媒体として構成することもできる。即ち、本発明の記録媒体は、駆動信号に応じてドットを形成可能なヘッドを印刷媒体の一方向に相対的に往復動する主走査を行いながら、印刷データに応じて各画素ごとにドットを形成することにより、該印刷媒体上に画像を印刷する印刷装置を駆動するプログラムをコンピュータ読みとり可能に記録した記録媒体であって、前記プログラムは、１つの画素に対応した駆動波形群であって、それぞれが１つのドットに対応した複数の駆動波形を含む第１の駆動波形群を出力する機能と、１つの画素に対応した駆動波形群であって、それぞれが１つのドットに対応した複数の駆動波形を含む第２の駆動波形群を出力する機能と、
前記ヘッドが、主走査を行いつつ、前記第１の駆動波形群および前記第２の駆動波形群に含まれる複数の駆動波形の内、前記印刷データに応じて選択された駆動波形を用いてドットを形成するドット形成処理を行うように、前記ヘッドを駆動するヘッド駆動機能と、を、前記印刷装置に実現させ、前記ヘッド駆動機能は、各画素に対して、前記第１の駆動波形群を用いた前記ドット形成処理と前記第２の駆動波形群を用いた前記ドット形成処理とが実行されるように、前記ヘッドを駆動する機能である、記録媒体である。